(57)【要約】【課題】  容器内の空気を確実に吸引できかつ減縮容器の解放も容易にできるようにする。【解決手段】  吸引口４ａを有していて容器３の注出口３ａを嵌合するノズル４と、このノズル４の吸引口４ａに連通する吸引路５を介して容器３内の空気を吸引する吸引手段Ａと、前記吸引路５における吸引圧力を検出する圧検出器６と、この圧検出器６が吸引減容完了圧を検出したときに、前記吸引手段Ａの作動を停止するとともにノズル４の吸引口４ａに空気を供給する空気供給手段Ｂとを備えており、前記ノズル４は嵌合した容器３の注出口３ａの先端部に吸着される弾性を有する密着膜体７を備える。【選択図】図１
2019084689.tif 000002
【特許請求の範囲】
【請求項１】
吸引口（４ａ）を有していて容器（３）の注出口（３ａ）を嵌合するノズル（４）と、
このノズル（４）の吸引口（４ａ）に連通する吸引路（５）を介して容器（３）内の空気を吸引する吸引手段（Ａ）とを備えており、
前記ノズル（４）は嵌合した容器（３）の注出口（３ａ）の先端部に吸着される弾性を有する密着膜体（７）を備えることを特徴とする容器減容装置。
【請求項２】
吸引口（４ａ）を有していて容器（３）の注出口（３ａ）を嵌合するノズル（４）と、
このノズル（４）の吸引口（４ａ）に連通する吸引路（５）を介して容器（３）内の空気を吸引する吸引手段（Ａ）と、
前記吸引路（５）における吸引圧力を検出する圧検出器（６）と、
この圧検出器（６）が吸引減容完了圧を検出したときに、前記吸引手段（Ａ）の作動を停止するとともにノズル（４）の吸引口（４ａ）に空気を供給する空気供給手段（Ｂ）とを備えており、
前記ノズル（４）は嵌合した容器（３）の注出口（３ａ）の先端部に吸着される弾性を有する密着膜体（７）を備えることを特徴とする容器減容装置。
【請求項３】
前記ノズル（４）は、前記吸引口（４ａ）と容器（３）の注出口（３ａ）が嵌合される嵌合部（４ｂ）とを形成したノズル本体（４Ａ）と、このノズル本体（４Ａ）の嵌合部（４ｂ）の基部側に嵌合した密着膜体（７）と、ノズル本体（４Ａ）の嵌合部（４ｂ）の基部側に嵌合されていて密着膜体（７）の逃げを規制するバックアップ体（１０）とを有することを特徴とする請求項１又は２に記載の容器減容装置。
【請求項４】
前記ノズル（４）は、基部側に吸引手段（Ａ）の吸引路（５）を形成する連結体（２９）に螺合するネジ部（４ｃ）を有し、先端側に回動工具を係合する工具係合部（４ｄ）を有することを特徴とする請求項１〜３のいずれか１項に記載の容器減容装置。
【請求項５】
前記吸引手段（Ａ）は圧縮空気が流通される圧縮空気流通路（８）にエジェクタ（９）を介して吸引路（５）を接続しており、
前記空気供給手段（Ｂ）は圧縮空気流通路（８）から分岐して吸引路（５）に接続された分岐路（１５）を有することを特徴とする請求項２に記載の容器減容装置。
【請求項６】
前記吸引手段（Ａ）は真空ポンブ（１６）に負圧路（１７）を介して吸引路（５）を接続しており、
前記空気供給手段（Ｂ）は吸引路（５）を負圧路（１７）と接続する態様と吸引路（５）を大気に開放する態様とを切り換える切換弁（１８）を有することを特徴とする請求項２に記載の容器減容装置。
【請求項７】
前記ノズル（４）及び吸引路（５）をノズルヘッド（１１）に設け、このノズルヘッド（１１）を装置フレーム（１２）に対して支持軸（１３）を介してノズル（４）に容器（３）の注出口（３ａ）を嵌合する方向に揺動可能に支持し、ノズルヘッド（１１）の近傍にノズルヘッド（１１）の揺動を検出して前記吸引手段（Ａ）を作動させる始動センサ（１４）を設けていることを特徴とする請求項１〜６のいずれか１項に記載の容器減容装置。
【発明の詳細な説明】
【技術分野】
【０００１】
本発明は、空ペットボトル等の容器を収縮させて減容する容器減容装置に関する。
【背景技術】
【０００２】
この種の従来技術に特許文献１の容器減容機がある。この容器減容機は、容器口部を案内するガイド部材と、先端に真空吸引口を有し、容器口部内に挿入可能な本体ロッドと、真空吸引口に接続された真空吸引手段と、本体ロッドの先端部外周に装着された弾性体から成るシール部材と、シール部材内に流体を給排する流体給排手段と、ガイド部材に案内された容器内に本体ロッドのシール部材が挿入されたことを検知する検知手段と、真空吸引手段および流体給排手段の作動タイミングを制御するタイマーとを備え、前記検知手段からの信号により、シール部材内に流体を供給してシール部材を膨張させ、所定時間経過後、真空吸引手段を作動させて容器内を吸気して収縮させ、かつ、この真空吸引手段が作動している間は流体の供給を継続して容器口部を保持させるように構成されている（請求項２）。
【０００３】
前記容器減容機は、取り付けプレートにエアシリンダが固定され、そのピストンロッドの先端がガイド部材のフランジに当接しており、エアシリンダは圧力エア供給源からの圧力エアによってピストンロッドを前進させてガイド部材を押出し、クラッシュされた容器を本体ロッドの先端から解放するように構成されている。
また、特許文献２の減容機は、弾性材により形成され、樹脂容器の口が水平方向または水平方向に対して傾斜させた傾斜方向から嵌合される吸引ノズルと、前記樹脂容器の口に前記吸引ノズルが押圧されることを検出する検出手段と、前記検出手段から出力された電気信号により起動され、前記吸引ノズルの空気を吸引する前記真空ポンプとを有する（請求項３）。
【先行技術文献】
【特許文献】
【０００４】
【特許文献１】特開平１０−６３３６号公報
【特許文献２】実用新案登録第３１３０７００号公報
【発明の概要】
【発明が解決しようとする課題】
【０００５】
前記前者従来技術は、容器内を真空吸引するために、真空吸引口を有する本体ロッドに容器口部との間を膨張してシールするシール部材及び流体給排手段を必要とし、減容した容器を本体ロッドから離脱させるために、真空吸引手段とは別個の圧力エア供給源とエアシリンダとを必要とし、構造及び減容工程が複雑になっている。
前記後者従来技術は、樹脂容器の口を吸引ノズルに押圧して空気を容易に吸引できるが、吸引ノズルは円錐形であって、吸引減容された容器はその復元力により密着して、吸引ノズルから離脱し難く、また離脱を積極的に行えないという問題を有する。
【０００６】
本発明は、このような従来技術の問題点を解決できるようにした容器減容装置を提供することを目的とする。
本発明は、容器の注出口をノズルに嵌合したときに注出口先端を密閉する密着膜体を設けることにより、容器内の空気を確実に吸引できかつ減縮容器の解放も容易にできる容器減容装置を提供することを目的とする。
【課題を解決するための手段】
【０００７】
本発明における課題解決のための具体的手段は、次の通りである。
本発明は第１に、吸引口４ａを有していて容器３の注出口３ａを嵌合するノズル４と、
このノズル４の吸引口４ａに連通する吸引路５を介して容器３内の空気を吸引する吸引手段Ａとを備えており、
前記ノズル４は嵌合した容器３の注出口３ａの先端部に吸着される弾性を有する密着膜体７を備えることを特徴とする。
【０００８】
本発明は第２に、吸引口４ａを有していて容器３の注出口３ａを嵌合するノズル４と、
このノズル４の吸引口４ａに連通する吸引路５を介して容器３内の空気を吸引する吸引手段Ａと、
前記吸引路５における吸引圧力を検出する圧検出器６と、
この圧検出器６が吸引減容完了圧を検出したときに、前記吸引手段Ａの作動を停止するとともにノズル４の吸引口４ａに空気を供給する空気供給手段Ｂとを備えており、
前記ノズル４は嵌合した容器３の注出口３ａの先端部に吸着される弾性を有する密着膜体７を備えることを特徴とする。
【０００９】
本発明は第３に、ノズル４は、前記吸引口４ａと容器３の注出口３ａが嵌合される嵌合部４ｂとを形成したノズル本体４Ａと、このノズル本体４Ａの嵌合部４ｂの基部側に嵌合した密着膜体７と、ノズル本体４Ａの嵌合部４ｂの基部側に嵌合されていて密着膜体７の逃げを規制するバックアップ体１０とを有することを特徴とする。
本発明は第４に、ノズル４は、基部側に吸引手段Ａの吸引路５を形成する連結体２９に螺合するネジ部４ｃを有し、先端側に回動工具を係合する工具係合部４ｄを有することを特徴とする。
【００１０】
本発明は第５に、吸引手段Ａは圧縮空気が流通される圧縮空気流通路８にエジェクタ９を介して吸引路５を接続しており、
前記空気供給手段Ｂは圧縮空気流通路８から分岐して吸引路５に接続された分岐路１５を有することを特徴とする。
本発明は第６に、吸引手段Ａは真空ポンブ１６に負圧路１７を介して吸引路５を接続しており、
前記空気供給手段Ｂは吸引路５を負圧路１７と接続する態様と吸引路５を大気に開放する態様とを切り換える切換弁１８を有することを特徴とする。
【００１１】
本発明は第７に、ノズル４及び吸引路５をノズルヘッド１１に設け、このノズルヘッド１１を装置フレーム１２に対して支持軸１３を介してノズル４に容器３の注出口３ａを嵌合する方向に揺動可能に支持し、ノズルヘッド１１の近傍にノズルヘッド１１の揺動を検出して前記吸引手段Ａを作動させる始動センサ１４を設けていることを特徴とする。
【発明の効果】
【００１２】
本発明によれば、容器の注出口をノズルに嵌合したときに弾性を有する密着膜体が注出口先端を密閉することにより、容器内の空気を確実に吸引でき、空気吸引を停止すると密着膜体による密閉が解消できる。
即ち、請求項１に係る発明は、ノズル４は嵌合した容器３の注出口３ａの先端部に吸着される弾性を有する密着膜体７を備えるので、ノズル４を注出口３ａに挿入して空気を吸引すると、注出口３ａの先端部に密着膜体７が吸着されて外部からの空気の吸引は阻止され、容器３内の空気を確実に吸引することができ、また、空気吸引を停止すると密着膜体７の弾性復元力によって、注出口３ａの密閉が解消できる。
【００１３】
請求項２に係る発明は、ノズル４は嵌合した容器３の注出口３ａの先端部に吸着される弾性を有する密着膜体７を備えるので、ノズル４を注出口３ａに挿入して空気を吸引すると、注出口３ａの先端部に密着膜体７が吸着されて外部からの空気の吸引は阻止され、容器３内の空気を確実に吸引することができ、吸引完了時に密着膜体７が注出口３ａに密着していても、空気供給手段Ｂによってノズル４の吸引口４ａに空気を供給して、注出口３ａへの密着膜体７の密着を解消し、また密着膜体７の弾性復元力によっても注出口３ａの密閉を解消し、減容容器をノズル４から容易に離脱させることができる。
【００１４】
請求項３に係る発明は、バックアップ体１０によって密着膜体７の逃げが規制されるので、注出口３ａをノズル４に嵌合していくときに注出口３ａの先端部を密着膜体７に確実に当接させることができ、容器３内の空気を確実に吸引することができる。
請求項４に係る発明は、ノズル４は連結体２９に螺合するネジ部４ｃと工具係合部４ｄとを有するので、ノズル４は着脱容易になり、密着膜体７の交換が容易にできる。
【００１５】
請求項５に係る発明は、吸引手段Ａの圧縮空気を利用して、ノズル４の吸引口４ａからの空気吸引と、ノズル４への圧縮空気吐出とができる。
請求項６に係る発明は、真空ポンブ１６の負圧でノズル４の吸引口４ａから空気を吸引し、切換弁１８の切り換えで吸引口４ａを大気に開放して空気を減容容器側に供給することができ、密着膜体７の密着を確実に解消することができる。
【００１６】
請求項７に係る発明は、ノズル４に容器３の注出口３ａを嵌合する方向のノズルヘッド１１の揺動を検出して吸引手段Ａを作動させることができ、容器３の吸引始動及びその確認が容易にできる。
【図面の簡単な説明】
【００１７】
【図１】本発明の第１実施形態を示す容器減容装置の空気回路図である。
【図２】同容器減容装置のノズルヘッドの側面図である。
【図３】同ノズルヘッドの平面図である。
【図４】ノズルの拡大断面図である。
【図５】容器減容装置の全体側面図である。
【図６】容器減容装置の背面図である。
【図７】本発明の第２実施形態を示す容器減容装置の空気回路図である。
【発明を実施するための形態】
【００１８】
以下、本発明の実施の形態を図面に基づいて説明する。
図５、６において、容器減容装置１の全体を示しており、容器減容装置１は大別して、可搬台２１にボックス状の装置フレーム１２を搭載し、装置フレーム１２内に圧縮空気を作るコンプレッサ２２（又は空気を吸引する真空ポンプ）及びエアータンク２２ａを収納し、装置フレーム１２の上部に容器３を吸引減容するノズルヘッド１１を支持し、このノズルヘッド１１をカバー２３で覆っている。
【００１９】
図２〜６において、前記装置フレーム１２は上部に横梁状部材１２ａを有し、この横梁状部材１２ａの前面側に蝶番２４を介してノズルヘッド１１を前部が上下移動するように揺動自在に枢支しており、前記蝶番２４のピンがノズルヘッド１１を装置フレーム１２に対して揺動自在に支持する支持軸１３となっている。
また、横梁状部材１２ａの後面側には近接センサで形成された始動センサ１４が設けられており、この始動センサ１４はノズルヘッド１１の後部の近傍に位置し、ノズルヘッド１１の後部の上下移動を検出可能になっている。
【００２０】
前記ノズルヘッド１１は、ヘッドボディ２６から第１アーム２７を前方突出し、この第１アーム２７に第２アーム２８を前後位置調整可能に装着し、第２アーム２８の前端下部に連結体２９を装着し、この連結体２９にノズル４を装着するとともにエアーニップル３０が接続されている。
図１、２、４、５において、前記ノズル４は、容器３の注出口３ａが嵌合される嵌合部４ｂと前記吸引口４ａとを形成したノズル本体４Ａと、このノズル本体４Ａの嵌合部４ｂの基部側に嵌合した弾性を有する密着膜体７と、ノズル本体４Ａの嵌合部４ｂの基部側に嵌合されていて密着膜体７の逃げを規制するバックアップ体１０とを有する。
【００２１】
前記ノズル４のノズル本体４Ａは、六角頭付きボルトを穴加工して吸引口４ａを形成し、ボルトの六角頭を下にして先端側にスパナ等の回動工具を係合する工具係合部４ｄとし、ボルトの軸部にリング４０を嵌合して筒形状の嵌合部４ｂを形成し、ボルトのネジを上にしてネジ部４ｃを形成し、このネジ部４ｃを吸引路５を形成する連結体２９に螺合している。
【００２２】
前記密着膜体７は、柔軟性及び弾力性のある合成樹脂フィルム、ラテックス（天然ゴム、合成ゴム）で形成された円形膜であり、厚さは０．０１〜１ｍｍ、好ましくは０．０３〜０．１ｍｍ、外径は容器３の注出口３ａの径より大径、好ましくは２〜４倍径であり、バックアップ体１０の下面側にカラー４１を介在して張られている。
バックアップ体１０は、天然ゴム、合成ゴム等の弾性体１０ａの上面側をキャップ形状の金属碗１０ｂで保護したものであり、密着膜体７に注出口３ａが密接するのを助け、密着膜体７が大きく変形するとき、弾性体１０ａで弾力的に受けて、大きく逃げるのを規制する。
【００２３】
これら密着膜体７及びバックアップ体１０は、ボルトの軸部に嵌合装着され、ネジ部４ｃを連結体２９に螺合することにより、嵌合部４ｂと連結体２９とに挟持される。
前記ノズル４は、各種の容器３における注出口３ａの内径が異なっているので、最小の径の注出口３ａが嵌合できるように嵌合部４ｂの外径が設定されており、最大径の注出口３ａに吸着するように密着膜体７の外径が設定されている。
【００２４】
容器３の注出口３ａは、ノズル本体４Ａの嵌合部４ｂに嵌合していくと、注出口３ａの先端が密着膜体７に接触し、かつ密着膜体７が弾性体１０ａにバックアップされると、密着膜体７とさらに密着する。その状態でノズル４の吸引口４ａから空気を吸引して容器３内を負圧にすると、外部空気が注出口３ａから容器３内に入ろうとするが、密着膜体７が注出口３ａに吸着され、外部空気の侵入を阻止し、容器３は内部の負圧力によって減縮される。ノズル４の吸引口４ａの空気吸引が停止されると、密着膜体７はそれ自身の弾性復元力によって元の形状に戻る。
【００２５】
前記ノズル４は、吸引口４ａが下向きであることにより容器３の注出口３ａはノズル本体４Ａに下側から上向きに嵌合され、その押圧する力はバックアップ体１０で受けることによりノズル４を下から上へ（前から後へ）、支持軸１３を中心に揺動させる力となり、容器３の注出口３ａのノズル４への嵌合がノズルヘッド１１を揺動して始動センサ１４を作動させることになる。
【００２６】
前記連結体２９には、ノズル４の吸引口４ａとエアーニップル３０とを連通する吸引路５が形成されており、吸引路５はエアーニップル３０に接続されたエアー管３１等を介して空気を吸引する機構に連通されている。
図１は容器減容装置１の第１実施形態の空気回路を示しており、ノズル４の吸引口４ａに連通する吸引路５を介して容器３内の空気を吸引する吸引手段Ａと、吸引路５における吸引圧力を検出する圧検出器６と、ノズル４の吸引口４ａに圧縮した空気を供給する空気供給手段Ｂとを備えている。
【００２７】
前記吸引手段Ａは、コンプレッサ２２が生成する圧縮空気を圧縮空気流通路８に供給し、この圧縮空気流通路８の中途に設けたエジェクタ９及び逆止弁３４で吸引路５を負圧にするように構成されている。
圧縮空気流通路８には圧縮空気を流通させる開閉弁３５とこれを切り換える切換電磁弁３６とが設けられており、切換電磁弁３６は始動センサ１４からの信号によって閉から開に切り換えられ、圧縮空気で開閉弁３５を閉から開に切り換える。始動センサ１４の作動によって吸引路５を負圧にする。
【００２８】
前記空気供給手段Ｂは圧縮空気流通路８から分岐して吸引路５に接続された分岐路１５と、この分岐路１５を開閉する分岐開閉弁３８と、この分岐開閉弁３８を切り換える分岐切換電磁弁３９とが設けられている。
前記分岐切換電磁弁３９は、圧検出器６からの信号によって閉から開に切り換えられ、分岐路１５の圧縮空気を分岐開閉弁３８に送って、分岐開閉弁３８を閉から開に切り換え、コンプレッサ２２からの圧縮した空気を分岐路１５から吸引路５に供給するとともに逆止弁３４を開から閉に切り換えることができる。
【００２９】
吸引手段Ａによって容器３内の空気を吸引していくと、容器３が吸引収縮されて吸引路５内の負圧が８０キロパスカル（ｋＰａ）前後になると、容器３は吸引減容完了となり、その負圧を圧検出器６が検出し、分岐切換電磁弁３９を作動して分岐開閉弁３８を開にし、分岐路１５の圧縮空気で逆止弁３４を閉にして吸引路５の空気吸引を停止し、同時に圧縮空気を吸引路５に供給して、ノズル４の吸引口４ａから噴出させる。
【００３０】
容器３はノズル４に嵌合して内部空気が吸引されると減縮し、減容状態にされると吸引路５の負圧を解除しても、容器３は復元力により吸引口４ａがノズル４の密着膜体７に吸い付いたままになるが、ノズル４の吸引口４ａから圧縮空気を噴出すると、真空破壊現象を起こして容器３をノズル４の密着膜体７から強制離脱させることができる。
前記容器減容装置１における容器減容方法を説明する。
【００３１】
空のペットボトル等の容器３をノズルヘッド１１まで持ち運び、キャップを外した状態の注出口３ａをノズル４の嵌合部４ｂに下方から嵌合する。注出口３ａの先端を密着膜体７に当接しながらその嵌合方向に容器３を移動（持ち上げる）と、バックアップ体１０を介してノズルヘッド１１は支持軸１３を中心に後上方へ揺動し、これで始動センサ１４が作動する（容器嵌合工程）。
【００３２】
始動センサ１４の作動によって切換電磁弁３６が閉から開に切り換えられると、コンプレッサ２２から圧縮空気流通路８内に供給されていた圧縮空気が、開閉弁３５を閉から開に切り換え、これによって同時に圧縮空気流通路８の先方側に流通され、圧縮空気がエジェクタ９内を通ることになり、このエジェクタ９の作用により吸引路５が負圧になって吸引手段Ａが作動し、吸引口４ａを介して容器３内の空気が吸引され、外部から入ろうとする空気を、注出口３ａの先端に密着膜体７が吸着されることにより阻止する（吸引工程）。
【００３３】
容器３は内部空気が吸引されると収縮して減容状態になり、吸引減容が完了してくると吸引路５内の負圧が急激に上昇し、負圧が８０キロパスカル前後になると、それを圧検出器６が検出して分岐切換電磁弁３９を作動し、圧縮空気流通路８から分岐路１５内に入ってくる圧縮空気で分岐開閉弁３８を開にする。
分岐開閉弁３８が開くと、分岐路１５の圧縮空気が逆止弁３４を開から閉に切り換えて吸引路５を負圧にする吸引工程を停止し、これと同時に吸引路５に圧縮空気を送り、ノズル４の吸引口４ａに圧縮空気を供給し、吸引口４ａで真空破壊を起こして、密着膜体７の吸着を解消し、容器３をノズル４から離脱させる（空気供給工程）。
【００３４】
図７は容器減容装置１の第２実施形態の空気回路を示しており、ノズル４の吸引口４ａに連通する吸引路５を介して容器３内の空気を吸引する吸引手段Ａと、吸引路５における吸引圧力を検出する圧検出器６と、ノズル４の吸引口４ａに空気を供給する空気供給手段Ｂとを備えている。
前記ノズル４のノズル本体４Ａは、円形頭付きボルトを穴加工して吸引口４ａを形成し、吸引口４ａの先端側に同心に六角レンチ等の回動工具を係合する六角穴を形成して工具係合部４ｄとし、ボルトの軸部にリング４０を嵌合して筒形状の嵌合部４ｂを形成し、ボルトのネジを上にしてネジ部４ｃを形成しており、ボルトの円形頭及び嵌合部４ｂは下向き先細りのテーパになっていて、容器３の注出口３ａを嵌合し易くしている。
【００３５】
前記弾性を有する密着膜体７はラテックスの円形膜であり、バックアップ体１０の弾性体１０ａは下面側にリング４０と略同径の円形突起部ａｂを有し、リング４０と円形突起部ａｂとで密着膜体７の内周部を挟持している。
前記吸引手段Ａは、コンプレッサ及びエジエクタの代わりに真空ポンブ１６及び負圧路１７を有しており、負圧路１７が吸引路５に接続されていて、真空ポンブ１６の吸引によって、負圧路１７及び吸引路５を介してノズル４の吸引口４ａを負圧にするように構成されている。
【００３６】
前記空気供給手段Ｂは、吸引路５と負圧路１７との接続位置に、吸引路５を負圧路１７と接続する態様の位置Ｃ１と吸引路５を大気に開放する態様の位置Ｃ２とを切り換える切換弁１８を有している。
この切換弁１８は電磁弁であって、始動センサ１４からの信号によって位置Ｃ１から位置Ｃ２に切り換えられ、吸引路５及びノズル４の吸引口４ａの負圧を解除するとともにそれらを大気に開放する。
【００３７】
容器３はノズル４に嵌合して空気を吸引して減容状態にされると、吸引路５の負圧を解除しても、容器３は復元力により吸引口４ａが密着膜体７に吸着したままになるが、吸引路５が大気に開放されノズル４の吸引口４ａに空気が供給できるようになると、密着膜体７の吸い付きが解消され、密着膜体７の弾性復元力により注出口３ａから離れ、容器３はノズル４から容易に離脱されることになる。
【００３８】
前記第２実施形態の空気回路における容器減容方法は、容器嵌合工程で容器３の注出口３ａをノズル４の嵌合部４ｂに下方から嵌合して、密着膜体７をバックアップ体１０に押圧し、バックアップ体１０介してノズル４を揺動させて始動センサ１４を作動し、吸引工程で真空ポンブ１６の吸引によって吸引路５及び吸引口４ａを負圧にして、容器３を収縮減容しかつ圧検出器６を作動し、空気供給工程で切換弁１８の切り換えにより吸引路５を大気に開放してノズル４及び減容容器３への空気の供給をする。吸引口４ａが大気に開放されると、注出口３ａと密着膜体７の吸着が解消され、密着膜体７を損傷することなく減容容器３をノズル４から容易に離脱される。
【００３９】
なお、本発明は前記実施形態に限定されるものではなく、部材の形状、構成及び組み合わせ等を変更したりすることもできる。
例えば、密着膜体７は、弾性材料で形成されるので、変形容易であり、変形してもその弾性復元力で元の形状に復元できるが、その弾性復元力を大きくするために、外周縁を内周部より厚肉にしたり、外周部を内周部より硬度の高い材料で形成したりしてもよい。
【００４０】
また、始動センサ１４はノズルヘッド１１の揺動を検出して作動するが、容器３の注出口３ａがバックアップ体１０に押圧されたことを検出するセンサであってもよく、また、人手操作されるスイッチであってもよい。
【符号の説明】
【００４１】
１       容器減容装置
３       容器
３ａ     注出口
４       ノズル
４Ａ     ノズル本体
４ａ     吸引口
４ｂ     嵌合部
４ｃ     ネジ部
４ｄ     工具係合部
５       吸引路
６       圧検出器
７       密閉膜体
８       圧縮空気流通路
９       エジェクタ
１０ａ   弾性体
１０ｂ   金属碗
１０     バックアップ体
１１     ノズルヘッド
１４     始動センサ
１５     分岐路
１７     負圧路
１８     切換弁
３４     逆止弁
３５     開閉弁
３６     切換電磁弁
３８     分岐開閉弁
３９     分岐切換電磁弁
Ａ       吸引手段
Ｂ       空気供給手段
【図１】
2019084689.tif 000003
【図２】
2019084689.tif 000004
【図３】
2019084689.tif 000005
【図４】
2019084689.tif 000006
【図５】
2019084689.tif 000007
【図６】
2019084689.tif 000008
【図７】
2019084689.tif 000009
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
下向き開口した吸引口（４ａ）を有していて容器（３）の上向き開口した注出口（３ａ）を嵌合するノズル（４）と、
このノズル（４）の吸引口（４ａ）に連通する吸引路（５）を介して容器（３）内の空気を吸引する吸引手段（Ａ）とを備えており、
前記ノズル（４）は、下方から上向きに近づけて嵌合した容器（３）の注出口（３ａ）の先端部に膜体下面が空気吸引により吸着される密着膜体（７）を備えており、
前記密着膜体（７）は、厚さが０．０１〜１ｍｍ、外径が容器３の注出口３ａの径より大径であり、かつ柔軟性及び弾性力のある薄い円形薄膜であることを特徴とする容器減容装置。
【請求項２】
下向き開口した吸引口（４ａ）を有していて容器（３）の上向き開口した注出口（３ａ）を嵌合するノズル（４）と、
このノズル（４）の吸引口（４ａ）に連通する吸引路（５）を介して容器（３）内の空気を吸引する吸引手段（Ａ）と、
前記吸引路（５）における吸引圧力を検出する圧検出器（６）と、
この圧検出器（６）が吸引減容完了圧を検出したときに、前記吸引手段（Ａ）の作動を停止するとともにノズル（４）の吸引口（４ａ）に空気を供給する空気供給手段（Ｂ）とを備えており、
前記ノズル（４）は、下方から上向きに近づけて嵌合した容器（３）の注出口（３ａ）の先端部に膜体下面が空気吸引により吸着される密着膜体（７）を備えており、
前記密着膜体（７）は、厚さは０．０３〜０．３ｍｍ、外径は容器３の注出口３ａの径の２〜４倍であり、かつ柔軟性及び弾性力のある薄い円形薄膜であることを特徴とする容器減容装置。
【請求項３】
前記ノズル（４）は、前記吸引口（４ａ）と容器（３）の注出口（３ａ）が嵌合される嵌合部（４ｂ）とを形成したノズル本体（４Ａ）と、このノズル本体（４Ａ）の嵌合部（４ｂ）の基部側に嵌合した密着膜体（７）と、ノズル本体（４Ａ）の嵌合部（４ｂ）の基部側に嵌合されていて密着膜体（７）の逃げを規制するバックアップ体（１０）と、膜体上面の上側に空間を形成するべく密着膜体（７）の内周部とバックアップ体（１０）の内周部との間に設けた空間形成部とを有することを特徴とする請求項１又は２に記載の容器減容装置。
【請求項４】
前記空間形成部は、密着膜体（７）の内周部とバックアップ体（１０）の内周部との間でノズル本体（４Ａ）に嵌合したカラー（４１）である、または、バックアップ体（１０）の弾性体（１０ａ）の下面から密着膜体（７）側へ突出した円形突起部（ａｂ）であることを特徴とする請求項３に記載の容器減容装置。
【請求項５】
前記吸引手段（Ａ）は圧縮空気が流通される圧縮空気流通路（８）にエジェクタ（９）を介して吸引路（５）を接続しており、
前記空気供給手段（Ｂ）は圧縮空気流通路（８）から分岐して吸引路（５）に接続された分岐路（１５）を有することを特徴とする請求項２に記載の容器減容装置。
【請求項６】
前記吸引手段（Ａ）は真空ポンブ（１６）に負圧路（１７）を介して吸引路（５）を接続しており、
前記空気供給手段（Ｂ）は吸引路（５）を負圧路（１７）と接続する態様と吸引路（５）を大気に開放する態様とを切り換える切換弁（１８）を有することを特徴とする請求項２に記載の容器減容装置。
【請求項７】
前記ノズル（４）及び吸引路（５）をノズルヘッド（１１）に設け、このノズルヘッド（１１）を装置フレーム（１２）に対して支持軸（１３）を介してノズル（４）に容器（３）の注出口（３ａ）を嵌合する上向き方向に揺動可能に支持し、ノズルヘッド（１１）の近傍にノズルヘッド（１１）の上向き揺動を検出して前記吸引手段（Ａ）を作動させる始動センサ（１４）を設けていることを特徴とする請求項１〜６のいずれか１項に記載の容器減容装置。
【手続補正２】
【補正対象書類名】明細書
【補正対象項目名】全文
【補正方法】変更
【補正の内容】
【発明の詳細な説明】
【技術分野】
【０００１】
本発明は、空ペットボトル等の容器を収縮させて減容する容器減容装置に関する。
【背景技術】
【０００２】
この種の従来技術に特許文献１の容器減容機がある。この容器減容機は、容器口部を案内するガイド部材と、先端に真空吸引口を有し、容器口部内に挿入可能な本体ロッドと、真空吸引口に接続された真空吸引手段と、本体ロッドの先端部外周に装着された弾性体から成るシール部材と、シール部材内に流体を給排する流体給排手段と、ガイド部材に案内された容器内に本体ロッドのシール部材が挿入されたことを検知する検知手段と、真空吸引手段および流体給排手段の作動タイミングを制御するタイマーとを備え、前記検知手段からの信号により、シール部材内に流体を供給してシール部材を膨張させ、所定時間経過後、真空吸引手段を作動させて容器内を吸気して収縮させ、かつ、この真空吸引手段が作動している間は流体の供給を継続して容器口部を保持させるように構成されている（請求項２）。
【０００３】
前記容器減容機は、取り付けプレートにエアシリンダが固定され、そのピストンロッドの先端がガイド部材のフランジに当接しており、エアシリンダは圧力エア供給源からの圧力エアによってピストンロッドを前進させてガイド部材を押出し、クラッシュされた容器を本体ロッドの先端から解放するように構成されている。
また、特許文献２の減容機は、弾性材により形成され、樹脂容器の口が水平方向または水平方向に対して傾斜させた傾斜方向から嵌合される吸引ノズルと、前記樹脂容器の口に前記吸引ノズルが押圧されることを検出する検出手段と、前記検出手段から出力された電気信号により起動され、前記吸引ノズルの空気を吸引する前記真空ポンプとを有する（請求項３）。
【先行技術文献】
【特許文献】
【０００４】
【特許文献１】特開平１０−６３３６号公報
【特許文献２】実用新案登録第３１３０７００号公報
【発明の概要】
【発明が解決しようとする課題】
【０００５】
前記前者従来技術は、容器内を真空吸引するために、真空吸引口を有する本体ロッドに容器口部との間を膨張してシールするシール部材及び流体給排手段を必要とし、減容した容器を本体ロッドから離脱させるために、真空吸引手段とは別個の圧力エア供給源とエアシリンダとを必要とし、構造及び減容工程が複雑になっている。
前記後者従来技術は、樹脂容器の口を吸引ノズルに押圧して空気を容易に吸引できるが、吸引ノズルは円錐形であって、吸引減容された容器はその復元力により密着して、吸引ノズルから離脱し難く、また離脱を積極的に行えないという問題を有する。
【０００６】
本発明は、このような従来技術の問題点を解決できるようにした容器減容装置を提供することを目的とする。
本発明は、容器の注出口をノズルに嵌合したときに注出口先端を密閉する密着膜体を設けることにより、容器内の空気を確実に吸引できかつ減縮容器の解放も容易にできる容器減容装置を提供することを目的とする。
【課題を解決するための手段】
【０００７】
本発明における課題解決のための具体的手段は、次の通りである。
本発明は第１に、下向き開口した吸引口４ａを有していて容器３の上向き開口した注出口３ａを嵌合するノズル４と、
このノズル４の吸引口４ａに連通する吸引路５を介して容器３内の空気を吸引する吸引手段Ａとを備えており、
前記ノズル４は、下方から上向きに近づけて嵌合した容器３の注出口３ａの先端部に膜体下面が空気吸引により吸着される密着膜体７を備えており、
前記密着膜体７は、厚さが０．０１〜１ｍｍ、外径が容器３の注出口３ａの径より大径であり、かつ柔軟性及び弾性力のある薄い円形薄膜であることを特徴とする。
【０００８】
本発明は第２に、下向き開口した吸引口４ａを有していて容器３の上向き開口した注出口３ａを嵌合するノズル４と、
このノズル４の吸引口４ａに連通する吸引路５を介して容器３内の空気を吸引する吸引手段Ａと、
前記吸引路５における吸引圧力を検出する圧検出器６と、
この圧検出器６が吸引減容完了圧を検出したときに、前記吸引手段Ａの作動を停止するとともにノズル４の吸引口４ａに空気を供給する空気供給手段Ｂとを備えており、
前記ノズル４は、下方から上向きに近づけて嵌合した容器３の注出口３ａの先端部に膜体下面が空気吸引により吸着される密着膜体７を備えており、
前記密着膜体７は、厚さは０．０３〜０．３ｍｍ、外径は容器３の注出口３ａの径の２〜４倍であり、かつ柔軟性及び弾性力のある薄い円形薄膜であることを特徴とする。
【０００９】
本発明は第３に、ノズル４は、前記吸引口４ａと容器３の注出口３ａが嵌合される嵌合部４ｂとを形成したノズル本体４Ａと、このノズル本体４Ａの嵌合部４ｂの基部側に嵌合した密着膜体７と、ノズル本体４Ａの嵌合部４ｂの基部側に嵌合されていて密着膜体７の逃げを規制するバックアップ体１０と、膜体上面の上側に空間を形成するべく密着膜体７の内周部とバックアップ体１０の内周部との間に設けた空間形成部とを有することを特徴とする。
【００１０】
本発明は第４に、空間形成部は、密着膜体７の内周部とバックアップ体１０の内周部との間でノズル本体４Ａに嵌合したカラー４１である、または、バックアップ体１０の弾性体１０ａの下面から密着膜体７側へ突出した円形突起部ａｂであることを特徴とする。
本発明は第５に、吸引手段Ａは圧縮空気が流通される圧縮空気流通路８にエジェクタ９を介して吸引路５を接続しており、
前記空気供給手段Ｂは圧縮空気流通路８から分岐して吸引路５に接続された分岐路１５を有することを特徴とする。
【００１１】
本発明は第６に、吸引手段Ａは真空ポンブ１６に負圧路１７を介して吸引路５を接続しており、
前記空気供給手段Ｂは吸引路５を負圧路１７と接続する態様と吸引路５を大気に開放する態様とを切り換える切換弁１８を有することを特徴とする。
本発明は第７に、ノズル４及び吸引路５をノズルヘッド１１に設け、このノズルヘッド１１を装置フレーム１２に対して支持軸１３を介してノズル４に容器３の注出口３ａを嵌合する上向き方向に揺動可能に支持し、ノズルヘッド１１の近傍にノズルヘッド１１の上向き揺動を検出して前記吸引手段Ａを作動させる始動センサ１４を設けていることを特徴とする。
【発明の効果】
【００１２】
本発明によれば、容器の注出口をノズルに嵌合したときに弾性を有する密着膜体が注出口先端を密閉することにより、容器内の空気を確実に吸引でき、空気吸引を停止すると密着膜体による密閉が解消できる。
即ち、請求項１に係る発明は、ノズル４は嵌合した容器３の注出口３ａの先端部に膜体下面が空気吸引により吸着される柔軟性及び弾性力のある薄い密着膜体７を備えるので、ノズル４を注出口３ａに挿入して空気を吸引すると、注出口３ａの先端部に密着膜体７の膜体下面が吸着されて外部からの空気の吸引は阻止され、容器３内の空気を確実に吸引することができ、また、空気吸引を停止すると密着膜体７の弾性復元力によって、注出口３ａの密閉が解消できる。
【００１３】
請求項２に係る発明は、ノズル４は嵌合した容器３の注出口３ａの先端部に膜体下面が空気吸引により吸着される柔軟性及び弾性力のある薄い密着膜体７を備えるので、ノズル４を注出口３ａに挿入して空気を吸引すると、注出口３ａの先端部に密着膜体７の膜体下面が吸着されて外部からの空気の吸引は阻止され、容器３内の空気を確実に吸引することができ、吸引完了時に密着膜体７が注出口３ａに密着していても、空気供給手段Ｂによってノズル４の吸引口４ａに空気を供給して、注出口３ａへの密着膜体７の密着を解消し、また密着膜体７の弾性復元力によっても注出口３ａの密閉を解消し、減容容器をノズル４から容易に離脱させることができる。
【００１４】
請求項３に係る発明は、バックアップ体１０によって密着膜体７の逃げが規制されるので、注出口３ａをノズル４に嵌合していくときに注出口３ａの先端部を密着膜体７に確実に当接させることができ、かつ密着膜体７の内周部とバックアップ体１０の内周部との間に設けた空間形成部を有しているので、膜体上面の上側に空間を形成でき、空気吸引による密着膜体７の吸着を確実にでき、容器３内の空気を確実に吸引することができる。
【００１５】
請求項４に係る発明は、空間形成部は、密着膜体７の内周部とバックアップ体１０の内周部との間でノズル本体４Ａに嵌合したカラー４１で簡単に形成でき、または、バックアップ体１０の弾性体１０ａの下面から密着膜体７側へ突出した円形突起部ａｂで簡単に形成できる。
請求項５に係る発明は、吸引手段Ａの圧縮空気を利用して、ノズル４の吸引口４ａからの空気吸引と、ノズル４への圧縮空気吐出とができる。
【００１６】
請求項６に係る発明は、真空ポンブ１６の負圧でノズル４の吸引口４ａから空気を吸引し、切換弁１８の切り換えで吸引口４ａを大気に開放して空気を減容容器側に供給することができ、密着膜体７の密着を確実に解消することができる。
請求項７に係る発明は、ノズル４に容器３の注出口３ａを嵌合する方向のノズルヘッド１１の上向き揺動を検出して吸引手段Ａを作動させることができ、容器３の吸引始動及びその確認が容易にできる。
【図面の簡単な説明】
【００１７】
【図１】本発明の第１実施形態を示す容器減容装置の空気回路図である。
【図２】同容器減容装置のノズルヘッドの側面図である。
【図３】同ノズルヘッドの平面図である。
【図４】ノズルの拡大断面図である。
【図５】容器減容装置の全体側面図である。
【図６】容器減容装置の背面図である。
【図７】本発明の第２実施形態を示す容器減容装置の空気回路図である。
【発明を実施するための形態】
【００１８】
以下、本発明の実施の形態を図面に基づいて説明する。
図５、６において、容器減容装置１の全体を示しており、容器減容装置１は大別して、可搬台２１にボックス状の装置フレーム１２を搭載し、装置フレーム１２内に圧縮空気を作るコンプレッサ２２（又は空気を吸引する真空ポンプ）及びエアータンク２２ａを収納し、装置フレーム１２の上部に容器３を吸引減容するノズルヘッド１１を支持し、このノズルヘッド１１をカバー２３で覆っている。
【００１９】
図２〜６において、前記装置フレーム１２は上部に横梁状部材１２ａを有し、この横梁状部材１２ａの前面側に蝶番２４を介してノズルヘッド１１を前部が上下移動するように揺動自在に枢支しており、前記蝶番２４のピンがノズルヘッド１１を装置フレーム１２に対して揺動自在に支持する支持軸１３となっている。
また、横梁状部材１２ａの後面側には近接センサで形成された始動センサ１４が設けられており、この始動センサ１４はノズルヘッド１１の後部の近傍に位置し、ノズルヘッド１１の後部の上下移動を検出可能になっている。
【００２０】
前記ノズルヘッド１１は、ヘッドボディ２６から第１アーム２７を前方突出し、この第１アーム２７に第２アーム２８を前後位置調整可能に装着し、第２アーム２８の前端下部に連結体２９を装着し、この連結体２９にノズル４を装着するとともにエアーニップル３０が接続されている。
図１、２、４、５において、前記ノズル４は、容器３の注出口３ａが嵌合される嵌合部４ｂと前記吸引口４ａとを形成したノズル本体４Ａと、このノズル本体４Ａの嵌合部４ｂの基部側に嵌合した弾性を有する密着膜体７と、ノズル本体４Ａの嵌合部４ｂの基部側に嵌合されていて密着膜体７の逃げを規制するバックアップ体１０とを有する。
【００２１】
前記ノズル４のノズル本体４Ａは、六角頭付きボルトを穴加工して吸引口４ａを形成し、ボルトの六角頭を下にして先端側にスパナ等の回動工具を係合する工具係合部４ｄとし、ボルトの軸部にリング４０を嵌合して筒形状の嵌合部４ｂを形成し、ボルトのネジを上にしてネジ部４ｃを形成し、このネジ部４ｃを吸引路５を形成する連結体２９に螺合している。
【００２２】
前記密着膜体７は、柔軟性及び弾力性のある合成樹脂フィルム、ラテックス（天然ゴム、合成ゴム）で形成された円形膜であり、厚さは０．０１〜１ｍｍ、好ましくは０．０３〜０．１ｍｍ、外径は容器３の注出口３ａの径より大径、好ましくは２〜４倍径であり、バックアップ体１０の下面側にカラー４１を介在して張られている。
バックアップ体１０は、天然ゴム、合成ゴム等の弾性体１０ａの上面側をキャップ形状の金属碗１０ｂで保護したものであり、密着膜体７に注出口３ａが密接するのを助け、密着膜体７が大きく変形するとき、弾性体１０ａで弾力的に受けて、大きく逃げるのを規制する。
【００２３】
これら密着膜体７及びバックアップ体１０は、ボルトの軸部に嵌合装着され、ネジ部４ｃを連結体２９に螺合することにより、嵌合部４ｂと連結体２９とに挟持される。
前記ノズル４は、各種の容器３における注出口３ａの内径が異なっているので、最小の径の注出口３ａが嵌合できるように嵌合部４ｂの外径が設定されており、最大径の注出口３ａに吸着するように密着膜体７の外径が設定されている。
【００２４】
容器３の注出口３ａは、ノズル本体４Ａの嵌合部４ｂに嵌合していくと、注出口３ａの先端が密着膜体７に接触し、かつ密着膜体７が弾性体１０ａにバックアップされると、密着膜体７とさらに密着する。その状態でノズル４の吸引口４ａから空気を吸引して容器３内を負圧にすると、外部空気が注出口３ａから容器３内に入ろうとするが、密着膜体７が注出口３ａに吸着され、外部空気の侵入を阻止し、容器３は内部の負圧力によって減縮される。ノズル４の吸引口４ａの空気吸引が停止されると、密着膜体７はそれ自身の弾性復元力によって元の形状に戻る。
【００２５】
前記ノズル４は、吸引口４ａが下向きであることにより容器３の注出口３ａはノズル本体４Ａに下側から上向きに嵌合され、その押圧する力はバックアップ体１０で受けることによりノズル４を下から上へ（前から後へ）、支持軸１３を中心に揺動させる力となり、容器３の注出口３ａのノズル４への嵌合がノズルヘッド１１を揺動して始動センサ１４を作動させることになる。
【００２６】
前記連結体２９には、ノズル４の吸引口４ａとエアーニップル３０とを連通する吸引路５が形成されており、吸引路５はエアーニップル３０に接続されたエアー管３１等を介して空気を吸引する機構に連通されている。
図１は容器減容装置１の第１実施形態の空気回路を示しており、ノズル４の吸引口４ａに連通する吸引路５を介して容器３内の空気を吸引する吸引手段Ａと、吸引路５における吸引圧力を検出する圧検出器６と、ノズル４の吸引口４ａに圧縮した空気を供給する空気供給手段Ｂとを備えている。
【００２７】
前記吸引手段Ａは、コンプレッサ２２が生成する圧縮空気を圧縮空気流通路８に供給し、この圧縮空気流通路８の中途に設けたエジェクタ９及び逆止弁３４で吸引路５を負圧にするように構成されている。
圧縮空気流通路８には圧縮空気を流通させる開閉弁３５とこれを切り換える切換電磁弁３６とが設けられており、切換電磁弁３６は始動センサ１４からの信号によって閉から開に切り換えられ、圧縮空気で開閉弁３５を閉から開に切り換える。始動センサ１４の作動によって吸引路５を負圧にする。
【００２８】
前記空気供給手段Ｂは圧縮空気流通路８から分岐して吸引路５に接続された分岐路１５と、この分岐路１５を開閉する分岐開閉弁３８と、この分岐開閉弁３８を切り換える分岐切換電磁弁３９とが設けられている。
前記分岐切換電磁弁３９は、圧検出器６からの信号によって閉から開に切り換えられ、分岐路１５の圧縮空気を分岐開閉弁３８に送って、分岐開閉弁３８を閉から開に切り換え、コンプレッサ２２からの圧縮した空気を分岐路１５から吸引路５に供給するとともに逆止弁３４を開から閉に切り換えることができる。
【００２９】
吸引手段Ａによって容器３内の空気を吸引していくと、容器３が吸引収縮されて吸引路５内の負圧が８０キロパスカル（ｋＰａ）前後になると、容器３は吸引減容完了となり、その負圧を圧検出器６が検出し、分岐切換電磁弁３９を作動して分岐開閉弁３８を開にし、分岐路１５の圧縮空気で逆止弁３４を閉にして吸引路５の空気吸引を停止し、同時に圧縮空気を吸引路５に供給して、ノズル４の吸引口４ａから噴出させる。
【００３０】
容器３はノズル４に嵌合して内部空気が吸引されると減縮し、減容状態にされると吸引路５の負圧を解除しても、容器３は復元力により吸引口４ａがノズル４の密着膜体７に吸い付いたままになるが、ノズル４の吸引口４ａから圧縮空気を噴出すると、真空破壊現象を起こして容器３をノズル４の密着膜体７から強制離脱させることができる。
前記容器減容装置１における容器減容方法を説明する。
【００３１】
空のペットボトル等の容器３をノズルヘッド１１まで持ち運び、キャップを外した状態の注出口３ａをノズル４の嵌合部４ｂに下方から嵌合する。注出口３ａの先端を密着膜体７に当接しながらその嵌合方向に容器３を移動（持ち上げる）と、バックアップ体１０を介してノズルヘッド１１は支持軸１３を中心に後上方へ揺動し、これで始動センサ１４が作動する（容器嵌合工程）。
【００３２】
始動センサ１４の作動によって切換電磁弁３６が閉から開に切り換えられると、コンプレッサ２２から圧縮空気流通路８内に供給されていた圧縮空気が、開閉弁３５を閉から開に切り換え、これによって同時に圧縮空気流通路８の先方側に流通され、圧縮空気がエジェクタ９内を通ることになり、このエジェクタ９の作用により吸引路５が負圧になって吸引手段Ａが作動し、吸引口４ａを介して容器３内の空気が吸引され、外部から入ろうとする空気を、注出口３ａの先端に密着膜体７が吸着されることにより阻止する（吸引工程）。
【００３３】
容器３は内部空気が吸引されると収縮して減容状態になり、吸引減容が完了してくると吸引路５内の負圧が急激に上昇し、負圧が８０キロパスカル前後になると、それを圧検出器６が検出して分岐切換電磁弁３９を作動し、圧縮空気流通路８から分岐路１５内に入ってくる圧縮空気で分岐開閉弁３８を開にする。
分岐開閉弁３８が開くと、分岐路１５の圧縮空気が逆止弁３４を開から閉に切り換えて吸引路５を負圧にする吸引工程を停止し、これと同時に吸引路５に圧縮空気を送り、ノズル４の吸引口４ａに圧縮空気を供給し、吸引口４ａで真空破壊を起こして、密着膜体７の吸着を解消し、容器３をノズル４から離脱させる（空気供給工程）。
【００３４】
図７は容器減容装置１の第２実施形態の空気回路を示しており、ノズル４の吸引口４ａに連通する吸引路５を介して容器３内の空気を吸引する吸引手段Ａと、吸引路５における吸引圧力を検出する圧検出器６と、ノズル４の吸引口４ａに空気を供給する空気供給手段Ｂとを備えている。
前記ノズル４のノズル本体４Ａは、円形頭付きボルトを穴加工して吸引口４ａを形成し、吸引口４ａの先端側に同心に六角レンチ等の回動工具を係合する六角穴を形成して工具係合部４ｄとし、ボルトの軸部にリング４０を嵌合して筒形状の嵌合部４ｂを形成し、ボルトのネジを上にしてネジ部４ｃを形成しており、ボルトの円形頭及び嵌合部４ｂは下向き先細りのテーパになっていて、容器３の注出口３ａを嵌合し易くしている。
【００３５】
前記弾性を有する密着膜体７はラテックスの円形膜であり、バックアップ体１０の弾性体１０ａは下面側にリング４０と略同径の円形突起部ａｂを有し、リング４０と円形突起部ａｂとで密着膜体７の内周部を挟持している。
前記吸引手段Ａは、コンプレッサ及びエジエクタの代わりに真空ポンブ１６及び負圧路１７を有しており、負圧路１７が吸引路５に接続されていて、真空ポンブ１６の吸引によって、負圧路１７及び吸引路５を介してノズル４の吸引口４ａを負圧にするように構成されている。
【００３６】
前記空気供給手段Ｂは、吸引路５と負圧路１７との接続位置に、吸引路５を負圧路１７と接続する態様の位置Ｃ１と吸引路５を大気に開放する態様の位置Ｃ２とを切り換える切換弁１８を有している。
この切換弁１８は電磁弁であって、始動センサ１４からの信号によって位置Ｃ１から位置Ｃ２に切り換えられ、吸引路５及びノズル４の吸引口４ａの負圧を解除するとともにそれらを大気に開放する。
【００３７】
容器３はノズル４に嵌合して空気を吸引して減容状態にされると、吸引路５の負圧を解除しても、容器３は復元力により吸引口４ａが密着膜体７に吸着したままになるが、吸引路５が大気に開放されノズル４の吸引口４ａに空気が供給できるようになると、密着膜体７の吸い付きが解消され、密着膜体７の弾性復元力により注出口３ａから離れ、容器３はノズル４から容易に離脱されることになる。
【００３８】
前記第２実施形態の空気回路における容器減容方法は、容器嵌合工程で容器３の注出口３ａをノズル４の嵌合部４ｂに下方から嵌合して、密着膜体７をバックアップ体１０に押圧し、バックアップ体１０介してノズル４を揺動させて始動センサ１４を作動し、吸引工程で真空ポンブ１６の吸引によって吸引路５及び吸引口４ａを負圧にして、容器３を収縮減容しかつ圧検出器６を作動し、空気供給工程で切換弁１８の切り換えにより吸引路５を大気に開放してノズル４及び減容容器３への空気の供給をする。吸引口４ａが大気に開放されると、注出口３ａと密着膜体７の吸着が解消され、密着膜体７を損傷することなく減容容器３をノズル４から容易に離脱される。
【００３９】
なお、本発明は前記実施形態に限定されるものではなく、部材の形状、構成及び組み合わせ等を変更したりすることもできる。
例えば、密着膜体７は、弾性材料で形成されるので、変形容易であり、変形してもその弾性復元力で元の形状に復元できるが、その弾性復元力を大きくするために、外周縁を内周部より厚肉にしたり、外周部を内周部より硬度の高い材料で形成したりしてもよい。
【００４０】
また、始動センサ１４はノズルヘッド１１の揺動を検出して作動するが、容器３の注出口３ａがバックアップ体１０に押圧されたことを検出するセンサであってもよく、また、人手操作されるスイッチであってもよい。
【符号の説明】
【００４１】
１       容器減容装置
３       容器
３ａ     注出口
４       ノズル
４Ａ     ノズル本体
４ａ     吸引口
４ｂ     嵌合部
４ｃ     ネジ部
４ｄ     工具係合部
５       吸引路
６       圧検出器
７       密閉膜体
８       圧縮空気流通路
９       エジェクタ
１０ａ   弾性体
１０ｂ   金属碗
１０     バックアップ体
１１     ノズルヘッド
１４     始動センサ
１５     分岐路
１７     負圧路
１８     切換弁
３４     逆止弁
３５     開閉弁
３６     切換電磁弁
３８     分岐開閉弁
３９     分岐切換電磁弁
Ａ       吸引手段
Ｂ       空気供給手段
【手続補正書】
【提出日】平成31年2月8日(2019.2.8)
【手続補正１】
【補正対象書類名】特許請求の範囲
【補正対象項目名】請求項２
【補正方法】変更
【補正の内容】
【請求項２】
下向き開口した吸引口（４ａ）を有していて容器（３）の上向き開口した注出口（３ａ）を嵌合するノズル（４）と、
このノズル（４）の吸引口（４ａ）に連通する吸引路（５）を介して容器（３）内の空気を吸引する吸引手段（Ａ）と、
前記吸引路（５）における吸引圧力を検出する圧検出器（６）と、
この圧検出器（６）が吸引減容完了圧を検出したときに、前記吸引手段（Ａ）の作動を停止するとともにノズル（４）の吸引口（４ａ）に空気を供給する空気供給手段（Ｂ）とを備えており、
前記ノズル（４）は、下方から上向きに近づけて嵌合した容器（３）の注出口（３ａ）の先端部に膜体下面が空気吸引により吸着される密着膜体（７）を備えており、
前記密着膜体（７）は、厚さは０．０３〜０．１ｍｍ、外径は容器３の注出口３ａの径の２〜４倍であり、かつ柔軟性及び弾性力のある薄い円形薄膜であることを特徴とする容器減容装置。
【手続補正２】
【補正対象書類名】明細書
【補正対象項目名】０００８
【補正方法】変更
【補正の内容】
【０００８】
本発明は第２に、下向き開口した吸引口４ａを有していて容器３の上向き開口した注出口３ａを嵌合するノズル４と、
このノズル４の吸引口４ａに連通する吸引路５を介して容器３内の空気を吸引する吸引手段Ａと、
前記吸引路５における吸引圧力を検出する圧検出器６と、
この圧検出器６が吸引減容完了圧を検出したときに、前記吸引手段Ａの作動を停止するとともにノズル４の吸引口４ａに空気を供給する空気供給手段Ｂとを備えており、
前記ノズル４は、下方から上向きに近づけて嵌合した容器３の注出口３ａの先端部に膜体下面が空気吸引により吸着される密着膜体７を備えており、
前記密着膜体７は、厚さは０．０３〜０．１ｍｍ、外径は容器３の注出口３ａの径の２〜４倍であり、かつ柔軟性及び弾性力のある薄い円形薄膜であることを特徴とする。